(57)【要約】  【課題】  明暗による視覚的な効果を有する敷物を提供することを課題とする。  【解決手段】  茎状の長尺体２ａの多数本を、複数の糸状体２ｂを用いて平行に織り上げた敷物本体２と、この敷物本体２の周縁部を包み込むようにして取り付けられた縁布３とからなる敷物構成体１ａ（１ｂ）を備え、この敷物構成体１ａ（１ｂ）が略正方形状に形成されており、この敷物構成体１ａ（１ｂ）の複数枚を、前記縁布３どうしを突き合わせた状態で縫い合わせることにより折り曲げ可能に連結してなり、かつ、連結された隣り合う敷物構成体１ａ（１ｂ）の前記長尺体２ａの向きが互いにほぼ直交するように連結されている。  【選択図】  図１
0003150383.tif 000002
【実用新案登録請求の範囲】
【請求項１】
茎状の長尺体の多数本を、複数の糸状体を用いて平行に織り上げた敷物本体と、この敷物本体の周縁部を包み込むようにして取り付けられた縁布とからなる敷物構成体を備え、この敷物構成体が略正方形状に形成されており、この敷物構成体の複数枚を、前記縁布どうしを突き合わせた状態で縫い合わせることにより折り曲げ可能に連結してなり、かつ、連結された隣り合う敷物構成体の前記長尺体の向きが互いにほぼ直交するように連結されていることを特徴とする敷物。
【考案の詳細な説明】
【技術分野】
【０００１】
本考案は、家屋の床等に敷いて用いられる敷物に係わり、特に、茎状の長尺体を織り込んで形成された筵状の敷物に関するものである。
【背景技術】
【０００２】
従来、家屋の床等に敷いて用いられる敷物として、カーペットや筵あるいは畳等がある。
これらの敷物の内、アレルギーに対する影響が少ない等の理由により、筵や畳が多く用いられ、特に、筵は、その薄さから床等に敷いた状態で床との段差が少なく、また、折り畳むことによりあるいは丸めることによって収納時のスペースが小さくて済むといった利点があり、手軽に利用されている。
【０００３】
このような筵状の敷物の一従来例として、たとえば、特許文献１に示される敷物が挙げられる。
【先行技術文献】
【特許文献】
【０００４】
【特許文献１】特開２００６−９５０８６号公報
【考案の概要】
【考案が解決しようとする課題】
【０００５】
前記特許文献１に示されている敷物は、茎状の長尺体の多数本を、複数の糸状体を用いて平行に織り上げた敷物本体と、この敷物本体の周縁部に取り付けた縁布とからなり、全体として長方形状に形成したものである。
【０００６】
したがって、前記多数の長尺体の向きが前面にわたって一定であることから、この敷物の表面から受ける視覚的な効果は、任意の一つの視点において全面的に同じあり、単調な視覚的な効果しか得られない。
【０００７】
また、この敷物を複数繋ぎ合わせて広い面積の敷物とすることがある。
この場合には、一般的な筵と同様に、長編部分において繋ぎ合わせることとなるが、このようにして繋ぎ合わせた状態においても、全ての長尺体の向きが一定であり、前述したように単調な視覚的効果しか得られない。
【課題を解決するための手段】
【０００８】
本考案は、前述した課題を解決せんとしてなされたもので、茎状の長尺体の多数本を、複数の糸状体を用いて平行に織り上げた敷物本体と、この敷物本体の周縁部を包み込むようにして取り付けられた縁布とからなる敷物構成体を備え、この敷物構成体が略正方形状に形成されており、この敷物構成体の複数枚を、前記縁布どうしを突き合わせた状態で縫い合わせることにより折り曲げ可能に連結してなり、かつ、連結された隣り合う敷物構成体の前記長尺体の向きが互いにほぼ直交するように連結されていることを特徴とする敷物である。
【考案の効果】
【０００９】
本考案による敷物は、敷物を構成する複数枚の敷物構成体のそれぞれが略正方形状に形成されていることから、各敷物構成体の４辺の長さがほぼ等しく、したがって、一つの敷物構成体の４辺の何れの辺に他の敷物構成体を連結しても、連結部分の長さが等しく一体感が得られる。
【００１０】
また、連結された隣り合う敷物構成体の長尺体の向きが互いほぼ直交するように連結されていることから、この敷物を全体的に見渡した場合、一つの視点に対して、隣り合う敷物構成体の一方の長尺体は前後方向に沿い、かつ、他方の長尺体は左右方向に沿うように配置されることとなる。
【００１１】
この結果、一方の敷物本体にあっては、長尺体および長尺体間の谷間の両方が前後方向に沿って配置されるから、前記谷間部分に陰ができず全体的に明るい視覚が得られ、他方の敷物本体にあっては、逆に、前記長尺体の頂点部分が明るく谷間部分が暗い視覚が得られ、全体的に明と暗が繰り返される視覚効果が得られることとなる。
【００１２】
また、各敷物構成体を連結部分（各辺）において折り曲げることができるので、平面視で、敷物構成体単体の大きさに畳み込むことができ、収納スペースが大きくなるようなこともない。
【図面の簡単な説明】
【００１３】
【図１】本考案の一実施例を示す平面図
【図２】本考案の第１の変形例を示す平面図
【図３】本考案の第２の変形例を示す平面図
【図４】本考案の第２の変形例を示すもので、折りたたみ方法を示す外観斜視図
【考案を実施するための形態】
【００１４】
ついで、本考案の一実施例を、図１を参照して説明する。
図１において、符号１は、本実施例に係わる敷物を示し、茎状の長尺体２ａの多数本を、複数の糸状体２ｂを用いて平行に織り上げた敷物本体２と、この敷物本体２の周縁部を包み込むようにして取り付けられた縁布３とからなる敷物構成体１ａ（１ｂ）を備え、この敷物構成体１ａ（１ｂ）が略正方形状に形成されており、この敷物構成体１ａ（１ｂ）の複数枚を、前記縁布３どうしを突き合わせた状態で縫い合わせることにより折り曲げ可能に連結してなり、かつ、連結された隣り合う敷物構成体１ａ（１ｂ）の前記長尺体２ａの向きが互いにほぼ直交するように連結されている。
【００１５】
前記長尺体２ａは、天然の井草が好適に用いられるが、合成樹脂製の紐やストロー状のものも使用可能である。
【００１６】
また、前記縁布３は種々の布が用いられ、無地のものや模様入りのものが適宜選択的に用いられる。
【００１７】
そして、前記縁布３どうしの縫い合わせは、これらの縁布３・３間において折り曲げ可能なように、これらの縁布３・３間に適宜の間隔をおくように行なうか、あるいは、縫い合わせに使用する、例えば糸に伸縮性がある糸を用いるようにする。
【００１８】
このように構成された本実施例の敷物１にあっては、図１の下方を視点とした場合、下方の敷物構成体１ｂでは、長尺体２ａおよび長尺体２ａ間の谷間の両方が上下方向に沿って配置されるから、前記谷間部分に陰ができず全体的に明るい視覚が得られ、上方の敷物構成体１ａでは、逆に、前記長尺体２ａ間の谷間が下方の長尺体２ａに隠れて、長尺体２ａの頂点部分が明るく谷間部分が暗い視覚が得られ、全体的に下方の敷物構成体１ｂが明るく上方の敷物構成体１ａが暗い視覚効果が得られることとなる。
【００１９】
前記実施例においては、敷物構成体を２枚用いた例について示したが、図２に示すように４枚の敷物構成体１ａ〜１ｄを用いたり、図３に示すように６枚の敷物構成体１ａ〜１ｆを用いる等、繋ぎ合わせる敷物構成体の数は任意である。
【００２０】
そして、例えば、図３に示すように６枚の敷物構成体１ａ〜１ｆを用いた例において敷物１を収納する場合、まず、図４（ａ）に示すように、左右の敷物構成体１ａ〜１ｃ・１ｄ〜１ｆを重ね合わせるようにして折り曲げ、ついで、図４（ｂ）に示すように、縦方向に２箇所で折り曲げることにより、平面視で、１枚の敷物構成体の大きさに畳み込むことができる。
【００２１】
これによって、少ないスペースで収納が可能となる。
【符号の説明】
【００２２】
１  敷物
１ａ〜１ｆ  敷物構成体
２  敷物本体
２ａ  長尺体
２ｂ  糸状体
３  縁布
【図１】
0003150383.tif 000003
【図２】
0003150383.tif 000004
【図３】
0003150383.tif 000005
【図４】
0003150383.tif 000006